(57)【特許請求の範囲】
【請求項１】
二次コイルを外周に巻装した絶縁材料からなるコイルボビンの中心孔に、一次コイルを巻装した鉄心を挿通し、該一次コイルを前記コイルボビンの側壁に植設された端子ピンに接続した点火トランスにおいて、
前記端子ピンを側壁に形成された固着座部に植設すると共に、該端子ピンの内側で、前記固着座部に、端子ピンと二次コイル間のボビン面の最短路を横断する沿面溝を形成したことを特徴とする点火トランス。
【発明の詳細な説明】
【０００１】
【発明の属する技術分野】
本発明は、出力端子から高電圧を発生させる高電圧発生装置等に設けられる点火トランスに関する。
【０００２】
【従来の技術】
石油ファンヒータ等の、各種燃焼器具の着火源に利用される高電圧発生装置としては、二次コイルを巻装したコイルボビンの中心孔に、一次コイルを巻装した鉄心を挿通して構成された点火トランスを、充放電コンデンサ等が組み付けられたプリント基板に実装して、絶縁樹脂と共にケース内に収納してなるものが知られている。
【０００３】
かかる構成に適用される点火トランスの一般的形状は、二次コイルを外周に巻装した絶縁材料からなるコイルボビンの中心孔に、一次コイルを巻装した鉄心を挿通してなり、該一次コイルを前記コイルボビンの側壁に植設された端子ピンに接続している。
【０００４】
【発明が解決しようとする課題】
ところで、このような構成にあって、図７で示すように、従来の点火トランスｔは、ケース内に、ウレタン樹脂等の絶縁性モールド材ｍより封入されるが、この点火トランスで発生する熱や、周囲環境の温度差による熱衝撃によって絶縁性モールド材が膨張収縮を繰り返し、ボビンｎのボビン面ｆに沿って空隙ｓを生じ易く、一次コイルに接続される端子ピンｐと、二次コイルｃ間の電圧差は１５〜１９ＫＶ程度の高電圧であるため、ボビン面ｆの表面を伝播する延面放電により、端子ピンｐと、二次コイルｃとのリークが発生し易かった。
【０００５】
これに対応する一手段としては、側壁に形成した固着座部ｒの高さＨを１０ｍｍ以上として、二次コイルｃと、端子ピンｐの延面距離を長くすることも考えられるが、この場合には、ボビンｎが大型化し、高電圧装置全体の高さが大となって、小型化に逆行することとなるという問題点を生ずる。
本発明は、薄型を維持しながら、端子ピンと二次コイルとのリークを可及的に防止し得る構成の点火トランスの提供を目的とするものである。
【０００６】
【課題を解決するための手段】
本発明は、二次コイルを外周に巻装した絶縁材料からなるコイルボビンの中心孔に、一次コイルを巻装した鉄心を挿通し、該一次コイルを前記コイルボビンの側壁に植設された端子ピンに接続した点火トランスにおいて、前記端子ピンを側壁に形成された固着座部に植設すると共に、該端子ピンの内側で、前記固着座部に、端子ピンと二次コイル間のボビン面の最短路を横断する沿面溝を形成したことを特徴とするものである。
【０００７】
上述の構成にあって、固着座部に、端子ピンと二次コイルのボビン面の最短路を横断する沿面溝を形成したから、端子ピンと二次コイル間の沿面絶縁距離が長くなる。そしてコイルをケース内に装着して、該ケース内に封止樹脂をモールドした場合にあって、封止樹脂が沿面溝内にも充填される。このように、前記沿面溝により端子ピンと、二次コイル間の沿面絶縁距離が延長されるため、ボビン面と封止樹脂間に空隙が後発的に発生しても、端子ピンと二次コイルとのリークが生じにくくなる。
【０００８】
【発明の実施の形態】
本発明を石油ファンヒータ等に用いる放電用高電圧発生装置に適用した実施例を添付図面について説明する。
【０００９】
図３において、１は略方体状の下面開放のケースであって、その一側角縁に上方に開口する差込み溝孔２が形成され、この差込み溝孔２内に、高圧コード（図示しない）が嵌着される針状の二次側出力端子３が夫々植設されている。また、ケース１の他側縁の上面には、一次側入出力端子５が突成される。
【００１０】
このケース１内には、図１，２で示す回路ユニット１０が装着される。この回路ユニット１０は、プリント基板１１の一面側に、導通端子を兼ねる端子ピン１２，１２，１２ｅを介して、点火トランス２０を浮き上がり状に実装し、該プリント基板１１と、点火トランス２０間に生じた間隙Ｓ（図３参照）に、抵抗体，ダイオード等のチップ部品等からなる回路部１３を配設している。そして、さらに他面側に、充放電コンデンサ１４を実装し、これにより、各部材をプリント基板１１の表裏で、積層状に配設して、回路ユニット１０を構成している。
【００１１】
点火トランス２０は、合成樹脂材料からなるコイルボビン２１の中心を貫通して形成した中心孔２２に、一次コイル２３を巻回した鉄心２４を挿通し、さらに、コイルボビン２１の周囲に形成した分割周溝２５に、二次コイル２６が各分割周溝２５間で連続して巻回されて構成される。
【００１２】
そして、一次コイル２３の両側の引出端２３，２３をそれぞれ前記導通端子を兼ねる端子ピン１２，１２と接続し、該端子ピン１２，１２を介して、充放電コンデンサ１４及びプリント基板１１に設けたチップ部品等からなる回路部１３（図３参照）と電気的に接続している。この回路部１３は一次側入出力端子５と接続され、交流電源と接続することとなる。また、二次コイル２６の一方の引出し端２６ａは、接続端子２７を介して前記二次側出力端子３に、他方の引出し端２６ｂは前記端子ピン１２ｅを介して、所要電路を介してアース接続される。
【００１３】
次に本発明の要部を図１，２，４に従って説明する。
前記点火トランス２０にあって、一次コイル２３と電気的に接続された端子ピン１２，１２は、コイルボビン２１の側壁３０の外側方へ膨出する固着座部３１に植設されている。そしてこの固着座部３１には、端子ピン１２の内側で、沿面溝３２が側壁３０に沿って、横断方向に形成されている。このため側壁３０表面において、沿面溝３２が、端子ピン１２と二次コイル２６間の最短路を遮断する方向に形成されているため、両者間の沿面絶縁距離が長くなる。
【００１４】
そして、この回路ユニット１０をケース１内に、前記プリント基板１１を燃焼器具に対する据付面Ｌ（図３参照）に対して直交状となる位置関係で収納し、ウレタン樹脂等の絶縁性モールド材３５が封入され、ケース１の開口に蓋３６が被着されて、高電圧発生装置が構成される。そして、図４で示されるように、前記沿面溝３２内にも絶縁性モールド材３５が充填されることとなる。
【００１５】
かかる構成にあって、点火トランス２０で発生する熱により絶縁性モールド材３５が膨張収縮を繰り返し、図４で示すように、コイルボビンの側壁に沿って空隙ｓを生じる場合がある。しかも一次コイル２３に接続される端子ピン１２と、二次コイル２６間の電圧差は１５〜１９ＫＶ程度である。しかるに上述したように、沿面溝３２により端子ピン１２と二次コイル２６間の沿面絶縁距離が長くなる。従って、端子ピン１２と二次コイル２６間の電圧差により、側壁表面を伝って発生する沿面放電が可及的に防止されることとなる。このため、一次コイル２３に接続される端子ピン１２と、二次コイル２６間にリークが発生しにくい。
【００１６】
上記構成にあって、固着座部３１の上面に、端子ピン１２の内側で、沿面溝３２を横断方向に一個のみ形成したが、沿面溝３２は固着座部３１の横断方向に形成されていれば良いから、図５のように、固着座部３１の内面に形成することもできる。また、図６のように、固着座部３１の上面又は／及び内側面に多数の沿面溝３２を形成しても良い。さらにまた沿面溝３２は、端子ピン１２と、二次コイル２６間の最短距離を横断するものであれば傾斜していても良い。
【００１７】
【発明の効果】
本発明は、上述したように、点火トランスのコイルボビンの一次コイルと接続する端子ピンが植設される固着座部に、該端子ピンの内側で、端子ピンと二次コイル間のボビン面の最短路を横断する沿面溝を形成して、端子ピンと二次コイルの沿面絶縁距離を長くしたから、コイルボビンの側壁周面と封止樹脂間に空隙が発生しても、端子ピンと二次コイルとのリークが生じにくくなる等の優れた効果がある。
【図面の簡単な説明】
【図１】本発明の点火トランス２０を備える回路ユニット１０の側面図である。
【図２】点火トランス２０の分離斜視図である。
【図３】高電圧発生装置の縦断側面図である。
【図４】沿面溝３２の作用を示す縦断側面図である。
【図５】第二実施例の沿面溝３２を示す要部の縦断側面図である。
【図６】第三実施例の沿面溝３２を示す要部の縦断側面図である。
【図７】従来構成の問題点を示す縦断側面図である。
【符号の説明】
１  ケース
１２  端子ピン
２０  点火トランス
２１  コイルボビン
２３  一次コイル
２６  二次コイル
３０  側壁
３１  固着座部
３２  沿面溝
３５  絶縁性モールド材
【図１】
0003662320.tif 000002
【図２】
0003662320.tif 000003
【図３】
0003662320.tif 000004
【図４】
0003662320.tif 000005
【図５】
0003662320.tif 000006
【図６】
0003662320.tif 000007
【図７】
0003662320.tif 000008